(57)【要約】【課題】腕時計のゴング打ち装置１が、底プレートと一体のゴング・キャリア２に一方の端部のところで固定される少なくとも１つのゴング３、４、５と、ゴングを打撃するために底プレート上に配設される少なくとも１つのハンマーと、ゴング音ノイズ消音機構６、７とを有する。                                        １【解決手段】消音構成の少なくとも１つの消音部品６は駆動手段９、１１、１２によって回動式に動かされるように構成されており、それにより、消音部品のＵ形部分１６がアイドル・モードにおいてはゴングに接触し、またはゴング打ちモードにおいてはゴングから一定の距離のところにくる。回動可能に配設される、棒１７を備える消音用対向部品７が設けられ、それにより消音部品６および対応の消音用対向部品により、アイドル・モードにおいてゴングを拘束するためにクランプが形成される。【選択図】図３
2011099860.tif 000002
【特許請求の範囲】
【請求項１】
底プレートと一体のゴング・キャリア（２）に一方の端部で固定される少なくとも１つのゴング（３、４、５）と、前記ゴングを打撃するために前記底プレート上に配設される少なくとも１つのハンマー（１３、１４、１５）と、アイドル・モードにおいて前記ゴングが不適切に音を出すのを防止するように構成されるゴング音ノイズ消音機構（６、７）とを有する、腕時計用のゴング打ち装置（１）であって、
前記消音機構の少なくとも１つの消音部品（６）が駆動手段（１０、１１、１２）によって動かされるように構成されており、それにより前記消音部品の一部分（１６）が、アイドル・モードにおいては前記ゴングに近接した位置に、ゴング打ちモードにおいては前記ゴングから一定の距離の位置にくる、ことを特徴とするゴング打ち装置。
【請求項２】
前記消音部品（６）が、前記底プレートに対してほぼ垂直である軸を中心に回動可能であるように前記底プレート上に配設される、ことを特徴とする、請求項１に記載のゴング打ち装置。
【請求項３】
前記消音部品（６）の一部分（１６）が、アイドル・モードにおいて前記ゴングの中間部分に接触することを特徴とする、請求項１または２に記載のゴング打ち装置。
【請求項４】
前記ゴング（３、４、５）が、前記底プレートの上の、前記腕時計のケースの内側の腕時計ムーブメントの周りで円の少なくとも一部分または長方形の少なくとも一部分を画定すること、および、前記消音部品（６）が、円の前記一部分または長方形の前記一部分の内側に位置され、それにより前記消音部品の一部分（１６）がアイドル・モードにおいて前記ゴングの中間部分に接触することを特徴とする、請求項１〜３のいずれか一項に記載のゴング打ち装置。
【請求項５】
前記消音部品（６）が、アイドル・モードにおいて前記ゴングに接触して前記ゴングの前記中間部分の外面を囲むためのＵ字状部を有することを特徴とする、請求項１〜４のいずれか一項に記載のゴング打ち装置。
【請求項６】
前記消音構成が、さらに、前記駆動手段によって動かされるように構成された対応の消音用対向部品（７）を有し、それにより前記消音用対向部品のロッド状部分（１７）が、アイドル・モードにおいては前記ゴングの外側に近接し、かつゴング打ちモードにおいては前記ゴングから一定の距離のところにくることを特徴とする、請求項１〜５のいずれか一項に記載のゴング打ち装置。
【請求項７】
前記対応の消音用対向部品（７）が、前記消音部品（６）の反対側で、前記底プレートに対してほぼ垂直である軸を中心に回動可能に前記底プレート上に配設されること、ならびに前記対応の消音用対向部品（７）および前記消音部品（６）が、アイドル・モードにおいて前記消音部品および前記消音用対向部品の一部分（１６、１７）の間に前記ゴングの前記中間部分を拘束するためにクランプを形成することを特徴とする、請求項１に記載のゴング打ち装置。
【請求項８】
前記消音部品（６）が第１のカム（８）を有し、前記対応の消音用対向部品（７）のフィンガ（１９）が駆動のための前記第１のカムに接触して保持され、前記第１のカムの回動中に前記消音用対向部品のロッド状部分（１７）および前記消音部品（６）の一部分（１６）を、アイドル・モードにおいては前記ゴングの前記中間部分に接触し、またはゴング打ちモードにおいては前記ゴングの前記中間部分から離れるように、駆動させることを特徴とする、請求項７に記載のゴング打ち装置。
【請求項９】
前記駆動手段が、同様に、前記消音部品（６）の軸上に配置される第２のカム（９）と１組のレバー（１０、１１、１２）とを有し、前記１組のレバー（１０、１１、１２）の１つ（１２）が前記第２のカムに接触して保持され、前記第２のカムを介して、アイドル・モードにおいては前記ゴングに接触し、またはゴング打ちモードにおいては前記ゴングから離れるように前記消音部品を駆動させることを特徴とする、請求項８に記載のゴング打ち装置。
【請求項１０】
ボルト（１８）が、前記第１のカム（８）と共に前記消音部品の回動軸上に配設され、それにより前記消音用対向部品（７）の前記フィンガ（１９）がアイドル・モードにおいて前記ボルトの内側に当接することを特徴とする、請求項８に記載のゴング打ち装置。
【請求項１１】
前記ゴング打ち装置（１）が、前記ゴング・キャリア（２）の一方の端部に固定されかつ腕時計ムーブメントの周りに少なくとも２つの巻き部分を構成するゴング（３、４、５）を有すること、および、前記消音部品（６）が、回動軸を中心に重なって配置される少なくとも２つのＵ字状部（１６）を有し、それによりアイドル・モードにおいて、第１のＵ字状部が    第１の巻き部分の一部分に接触し、第２のＵ字状部が前記ゴングの第２の巻き部分の一部分に接触することを特徴とする、請求項１〜１０のいずれか一項に記載のゴング打ち装置。
【請求項１２】
前記ゴング打ち装置（１）が、１つのゴングが他のゴングの上に接触しないように配置される複数のゴング（３、４、５）を有し、各ゴングの一方の端部が同一の前記ゴング・キャリア（２）に固定され、各ゴングが、前記底プレートの上に腕時計ムーブメントの周りで円の少なくとも一部分または長方形の少なくとも一部分を画定すること、および、前記底プレートに対してほぼ垂直である軸を中心に前記底プレート上に回動可能に配設される前記消音部品（６）が、ゴングの数に一致する複数のＵ字状部（１６）を有し、それにより各Ｕ字状部が、アイドル・モードにおいては対応するゴングの中間部分に接触し、ゴング打ちモードにおいては各ゴングから一定の距離のところにくることを特徴とする、請求項１に記載のゴング打ち装置。
【請求項１３】
前記ゴング打ち装置（１）が、前記底プレート上に回動可能に配設されかつ前記消音部分（６）を介して駆動される対応の消音用対向部品（７）を有し、前記消音用対向部品および前記消音部品が、アイドル・モードにおいて前記消音部品（６）の前記Ｕ字状部（１６）と前記消音用対向部品のロッド（１７）との間に各ゴングの前記中間部分を拘束するためにクランプを形成することを特徴とする、請求項１２に記載のゴング打ち装置。
【請求項１４】
前記ゴング（複数可）に接触する前記消音部品（６）および前記消音用対向部品（７）のうちの、少なくとも一部分が、弾性変形可能なプラスチック材料で作られることを特徴とする、請求項１〜１３のいずれか一項に記載のゴング打ち装置。
【請求項１５】
前記ゴング打ち装置（１）が、長さおよび／または断面が異なる３つのゴング（３、４、５）と、それぞれが対応する前記ゴングを打撃するためのものである、前記底プレート上に配設される３つのハンマー（１３、１４、１５）とを有すること、ならびに前記消音構成が、さらに、前記底プレート上に回動可能に配設されかつ前記消音部品（６）の径方向反対側に配置される消音要素（２４）を有し、前記消音要素が前記駆動手段（１０、２６）によって駆動され、それにより前記消音要素のＵ形部分が、アイドル・モードにおいて他の２つのゴングの間に位置される前記ゴングに接触し、ゴング打ちモードにおいて前記ゴングから一定の距離のところにくることを特徴とする、請求項１２に記載のゴング打ち装置。
【発明の詳細な説明】
【技術分野】
【０００１】
本発明は、腕時計用の、ゴング音ノイズの消音機構が取り付けられたゴング打ち装置に関する。このゴング打ち装置は、概して、底プレートと一体のゴング・キャリアに一方の端部で固定される少なくとも１つのゴングと、所望の打撃周期でゴングを打つために底プレート上に配設される少なくとも１つのハンマーとを有する。かかるゴング音ノイズ消音機構は、アイドル・モードのゴングに、腕時計ケース内で隣接するゴング要素に対する衝撃（ゴング打ち）の後で生じる、不適切に音を防止する。
【背景技術】
【０００２】
腕時計製造の分野においてムーブメントを作るのに伝統的な構造が使用される場合に、ミニッツ・リピーターなどのゴング打ち装置が取り付けられ得る。このような形態では、使用される１つまたは複数のゴングの各々は、一般に円形状の金属線によって形成される。各ゴングの金属線は、腕時計文字板に対してならびに金属線が配設される底プレートに対して平行な平面に配置される。金属線は、通常、腕時計の枠の中のムーブメントの周りに配置され得る。各ゴングの一方の端部は、底プレートと一体のゴング・キャリア（すべてのゴングに対して単一のキャリアであってよい）に、例えばはんだ付けされることによって固定される。各ゴングのもう一方の端部は、通常は自由端とされる。
【０００３】
腕時計のゴング打ち装置は、所定の瞬間に作動されるハンマーを有する。ゴングの振動は、ゴング・キャリアの近傍でゴングにハンマーを衝突させることによって引き起こされる。ハンマーは、一般に、ゴングの存在する平面内を部分的に回動してその平面内でゴングを振動させる。ゴングの振動の一部が、ゴング・キャリアのねじれによって底プレートに伝達される。それにより、底プレートがゴングの平面に平行な平面内で振動する。
【０００４】
ゴング打ち装置で使用される１つまたは複数のゴングの形状および寸法によっては、１以上のゴングが、アイドル・モードにあっても、腕時計が急に動かた時には、隣接する金属部品に対して不適切に音を生じさせてしまう可能性がある。腕時計ムーブメントの周りに少なくとも２つの巻き部分を有する、教会チャイム型（キャシドラル型）のゴングのようにゴングの長さが長くなると、不適切に音を出す、または誤って共振するという問題が起こりやすくなる。これは、このタイプのゴング打ち装置が取り付けられた高級腕時計の１つの欠点となっている。
【０００５】
この問題を克服するために、欧州特許出願公開第１９１４６０６号に開示のように、ゴング打ち装置の１つまたは複数のゴングに対して１つまたは複数のノイズ消音要素を使用することが既に知られている。この特許出願では、ゴング打ち装置は２つの教会チャイム型ゴングを有し、これらのゴングはそれらの端部の一方を介して単一のゴング・キャリアに固定される。少なくとも１つの挿入物が消音要素としてゴングの巻き部分の間に設けられ、リングが各ゴングの上に規則的に配置される。しかし、この消音構成は、（各ゴングがゴング打ちモードにおいて何らかの干渉を引き起こす可能性がある）静止した消音要素が、腕時計ケース内で各ゴングに直に近接して多数存在するという欠点を有する。また、これらの消音要素は、すべてが、各ゴングに対して取り付けられるので、ゴング打ち装置の美的品質を損なうものである。
【０００６】
ゴングまたはメンブレン（ｍｅｍｂｒａｎｅ）のノイズを減衰させる手段は、スイス特許第３１３  ２０２号および仏国特許第１  ０４２  ７４９号による現況技術からも知られているが、アイドル・モードにおいてゴングが不適切に音を出すのを防止するようなゴング音ノイズ消音機構についての言及はない。
【先行技術文献】
【特許文献】
【０００７】
【特許文献１】欧州特許出願公開第１  ９１４  ６０６号
【特許文献２】スイス特許第３１３  ２０２号
【特許文献３】仏国特許第１  ０４２  ７４９号
【発明の概要】
【発明が解決しようとする課題】
【０００８】
本発明の目的は、実装が容易であり、且つ、ゴング打ちモードにおいてゴングを支障なく振動させ、さらにゴング打ち装置の美的品質を完全に維持できる、ゴング音ノイズ消音機構が取り付けられたゴング打ち装置を提供することにある。
【課題を解決するための手段】
【０００９】
したがって、本発明は、腕時計用のゴング打ち装置に関し、消音機構の少なくとも消音部品が駆動手段によって動かされ得るように構成されており、それにより消音部品の一部分が、アイドル・モードにおいてはゴングに近接し、ゴング打ちモードにおいてはゴングから一定の距離にあることを特徴とする。
【００１０】
このゴング打ち装置の特定の実施形態が従属請求項２から１５に定義される。
【００１１】
ゴング音ノイズ消音機構が取り付けられたゴング打ち装置の１つの利点は、少なくとも１つの消音部品が、アイドル・モードにおいてはゴングに近接する位置を占有し、またはゴング打ちモードにおいてはゴングから一定の距離だけ離れた位置を占有するように駆動手段によって動かされ得ることである。好適には、消音部品はゴング打ち装置の底プレート上に回動可能に配設され、駆動手段によって駆動される。この消音部品は、好適には、アイドル・モードにおいてゴングの中間部分に直接に接触するように少なくとも１つのＵ字状部を有する。
【００１２】
有利には、ゴング音ノイズ消音機構は、アイドル・モードにおいてゴングの中間部分を拘束するために、消音部品と協働してクランプを形成するような、対応の消音用対向部品をさらに有する。クランプ動作によりゴングの中間部分を拘束することによって、上記ゴングの自由長さが制限され、それによりその撓み性も制限される。かくして、ゴング打ち装置がアイドル・モードにあるときに腕時計が急に動かされた場合に誤って共振するなどの不都合が防止される。
【００１３】
有利には、消音部品は、ゴング打ち装置のゴングの数またはゴングの巻き部分の数に一致する複数のＵ字状部を有し、それにより各Ｕ字状部はアイドル・モードにおいて対応するゴングに接触する。消音用対向部品となるロッドが、消音部品の外側に向かって開いているＵ字状部のセットに直接に対向してゴングのすべてに接触する。消音部品および対応した消音用対向部品のうちの、少なくともゴングに接触する部分は、１つまたは複数のゴングのためのノイズ消音要素として機能するように弾性変形可能なプラスチック材料で作られる。
【００１４】
ゴング音ノイズ消音機構が設けられたゴング打ち装置の目的、利点および特徴は、図面を参照した、以下の少なくとも１つの非限定的な実施形態の説明でより明確となる。
【図面の簡単な説明】
【００１５】
【図１】アイドル・モードにある、ゴング音ノイズ消音機構を備えるゴング打ち装置の特定の部分の平面図（図１ａ）および側面図（図１ｂ）である。
【図２】ゴング打ちモードにある、ゴング音ノイズ消音機構を備えるゴング打ち装置の特定の部分の平面図および側面図である。
【図３】アイドル・モードにあるゴング打ち装置のゴング音ノイズ消音機構のクランプ形状部分の拡大斜視図である。
【図４】アイドル・モードにあるゴング打ち装置のゴング音ノイズ消音機構のクランプ形状部分の拡大底面図である。
【発明を実施するための形態】
【００１６】
以下の説明では、この技術分野でよく知られている腕時計のゴング打ち装置の部品につちては、簡単に説明される。
【００１７】
図１ａおよび図１ｂは、アイドル・モードにあるときの、ゴング音ノイズの消音機構を備える腕時計のゴング打ち装置１の平面図および側面図をそれぞれ示している。図の簡明のために、ゴング３、４、５のためのノイズ消音機構を備えたゴング打ち装置１の基本的な要素のみが示されている。
【００１８】
この実施形態では、ゴング打ち装置１は、３つのゴング３、４および５を有する。これらのゴング３、４および５は、各々が、一方の端部を介して、底プレート（図示せず）と一体であるゴング・キャリア２に連結されている。この底プレートは、通常、図１ａに示される要素の下側、図１ｂのゴング打ち装置を逆さにした側面図ではゴング・キャリア２の上側にある。複数のゴング・キャリア２も想定され得るが、好適には、各ゴングの一方の端部が単一のゴング・キャリア２に連結される。各ゴングのもう一方の端部は自由に動くことができる。
【００１９】
これらのゴングは、ゴング打ち装置１の底プレート上に配設され得る腕時計ムーブメント（図示せず）を囲むために、図１ａに示すように円の一部分を画定していてよい。円のこの部分は、例えば１８０°以下と３６０°の間の角度の円環状部分を指していてよいが、この実施形態では、３３０°に接近していることが好ましい。３つのゴング３、４および５は、互いに十分離れた距離で、かつ、その一部分が腕時計文字板および底プレートに対して平行である平面を画定して、重なって配設される。
【００２０】
このゴング打ち装置が、貴金属または鋼あるいは金属ガラスなどの金属材料で作られた３つのゴングを有しており、各ゴングの形状が所定の音を生み出すように適合されていることから、３つのハンマー１３、１４および１５が底プレート上に回動可能に配設される。第１のハンマー１３は、通常ゴング・キャリア２の近傍で第１のゴング３を打撃するためのものである。第２のハンマー１４は第２のゴング４を打撃するためのものであり、第３のハンマー１５は第３のゴング５を打撃するためのものである。アイドル・モードでは、これらのハンマーは、ばね要素（図示せず）によって各ゴングから一定の距離のところで保持される。
【００２１】
ゴング打ち装置１は、以下で説明するように１組のレバーすなわち枢動部品１０、１１、１２、２６を概して含む駆動手段によって駆動されるゴング音ノイズ消音機構を有する。ゴング音ノイズ消音機構は、主として、底プレート上に回動可能に配設される消音部品６を有する。この消音部品は底プレートに対してほぼ垂直の軸を中心に回動するのが好適であるが、底プレートの平面に対して垂直ではない回動軸を想定することも可能である。上記消音部品６の一部分１６は、図１ａおよび１ｂに示すようにゴングに隣接して配置され、
３つのゴング３、４および５に対して、アイドル・モードにおいては無駄な振動の抑制ができるように近接して位置決めされる、好適には、ゴング３、４および５に直に接触して位置決めされる。したがって、消音部品６は３つのＵ字状部を有し、３つのＵ字状部は、消音部品の外側に向かって開いており且つ重なった状態で、上記消音部品の回動軸を中心にして配置されている。各Ｕ字状部の形状は、アイドル・モードにおいては離間している各ゴング３、４および５の間の空間に一致する。
【００２２】
ゴング音ノイズの消音機構は、上記消音部品と共にアイドル・モードにおいてゴングを拘束するためのクランプを形成するため、消音部品に隣接して同様に回動可能に配設される、対応の消音用対向部品７を有する。この消音用対向部品７の回動軸は、消音部品のように、底プレートの平面に対して垂直であること好適であるが、図示しない実施形態においてそのプレートに対して垂直でなくてもよい。対応の消音用対向部品７の回動軸および消音部品６の回動軸はゴングの内側に位置される。この消音用対向部品は、ゴング３、４および５に、アイドル・モードにおいて無駄な振動の抑制ができるように近接して位置決めされる、好適には、各ゴングの中間部分上で消音部品６に直に接触している棒１７を有する。消音用対向部品のロッド１７はゴングの外側に接触する。しかし、Ｕ字状部１６が設けられている消音部品６の一部分は、アイドル・モードにおいて、消音用対向部品７の上記ロッド１７の反対側で各ゴングの内側に接触する。
【００２３】
対応の消音用対向部品７は、ゴング音ノイズ消音機構を備えるゴング打ち装置の部分斜視図である図３において詳細に示されるように、端部のところにフィンガ１９が配置されているアームを有する。消音用対向部品のフィンガ１９は、消音部品６の回動軸上で消音部品６の第１のカム８に接触するようにばね要素によって保持される。アイドル・モードにおいて、消音部品がゴング３、４および５に接触するまで時計回りに回動すると、消音用対向部品７のロッド１７が第１のカム８を介してゴングに接近するように動かされる。好適には、ロッド１７はゴングに接触する。しかし、以下で説明する図２ａおよび２ｂに示すようなゴング打ちモードでは、消音用対向部品７のロッド１７は、第１のカム８の突出部分によってゴングから離れるように動かされる。
【００２４】
対応の消音用対向部品７および消音部品６は、駆動手段によって短い距離を回動するように駆動される。これを達成するために、消音部品６は、図３に示すように、消音部品６の回動軸を中心に第１のカム８の反対側に配置される第２のカム９をさらに有する。駆動手段の第１のレバーまたは枢動部品１２が、第２のカム９の外面に第１の端部を介して接触するように保持される。この第１のレバー１２は、図１ａに示すように第２の端部のところで、第２のレバー１１の第１の端部によって時計回りに回動するように駆動される。この第２のレバー１１自体は、第１および第２のレバー１２および１１に作用するために時計回りに作動される分ラック（ｍｉｎｕｔｅ−ｒａｃｋ）の形態のレバー１０のアームによって第２の端部のところで反時計回りに回動するように駆動される。
【００２５】
第１のレバー１２が第２のカム９に接触した状態を維持するために、図１ａに示すゴング打ち装置の反時計回り方向に作用する戻しばね（図示せず）が設けられることに留意されたい。また、消音部品６上の、特にその回動軸上に、時計回り方向に作用する別の戻しばね（図示せず）が設けられる。第２のレバー１１および分ラック１０が作用しない場合、第１のレバー１２のばねの戻り力は、消音部品６のばねの戻り力、さらには消音用対向部品７のばね要素の戻り力に比べて、はるかに強い。これらの条件により、ゴング打ちモードにおいて、第１の端部を介して第２のカム９に当接される第１のレバー１２が、図２ａおよび２ｂに示すように、消音部品６を回動するように駆動させ、対応の消音用対向部品７がゴングから離れた位置にくる。この駆動手段内のばね要素の配置はこの技術分野ではよく知られていることから、より詳細には説明しない。
【００２６】
ゴング３、４および５のためのノイズ音の消音構成は、底プレート上に回動可能に配設されかつ消音部品６および対応の消音用対向部品７の径方向反対側にくるように配置される消音要素２４をさらに有する。この消音要素２４もやはり分ラック１０によって回動するように駆動される。分ラックの止め具（ｃａｔｃｈ）２７が、やはり戻しばねに接触するように底プレート上に回動可能に配設される歯車２６のアームを反時計回りに駆動させる。この歯車は、消音要素２４の回動軸上に配置される歯付きセクタ２５に直接に噛合される。
【００２７】
アイドル・モードでは、分ラック１０が、他の２つのゴング３および５の間に位置されるゴング４の端部分に消音要素２４を接触させている。この消音要素は中間ゴング４の端部をわずかに外側に押圧している。消音要素に接触しているこの部分は、中間ゴング４の外側表面に適合するようにやはりＵ字状部であってよい。この消音要素２４は、腕時計が急に動かされたときに中間ゴング４の端部がゴング３および５の一方またはもう一方に接触するのを防止する。もちろん、この消音要素のＵ字状部は、消音部品６の接触部分１６および対応の消音用対向部品７のロッド１７と同様に、弾性変形可能なプラスチック材料で作られることのみを必要とする。
【００２８】
アイドル・モードでは、図４でより詳細に示すように、フィンガ１９は当接されており、消音部品６の回動軸上に固定されたボルト１８に留められる。このボルトは、消音部品、第１のカム８および第２のカム９と共に回動する。この位置では、フィンガ１９がボルト１８内に挿入されることにより、クランプが閉じた状態で保持される。これにより、ゴングの慣性でクランプが開くのが防止される。しかし、ボルト内にあるフィンガの保持力は、以下で説明するように、アイドル・モードからゴング打ちモードへ変換するための駆動手段の力よりはるかに弱い。
【００２９】
図２ａおよび図２ｂは、上述したように、ゴング打ちモードにある、ゴング音ノイズ消音機構を備える腕時計のゴング打ち装置１の平面図および側面図を示している。参照符号が付された要素は、図１ａおよび図１ｂで説明した要素と同じであることから、これらの要素を繰り返して詳細に説明しない。
【００３０】
図２ａおよび２ｂに示したゴング打ち装置１の本質的な違いは、消音部品６、対応の消音用対向部品７および消音要素２４が、ゴング３、４および５から離れた位置を占有するように駆動手段によって動かされていることである。ゴング打ちモードにあるゴング打ち装置１の構成に対する各レバーの動きを明確に示すために、レバー１０〜１２および歯車２６の回動が図２ａおよび２ｂに示されている。上で説明したように、それ自体が戻しばねを備える第１のレバー１２が、ゴング３、４および５から離れた位置を占有するように消音部品６を反時計回りに回動させ、消音用対向部品７もまったく同様に回動させる。
【００３１】
このタイプのゴング打ち装置１を有する腕時計がいかに急に動かされようとも、上述したゴング音ノイズ消音機構により、各ゴングが意図に反して腕時計のいかなる金属構成要素や一般に金属である腕時計ケースに接触することが防止され、それにより望ましくなく音を出すことが防止される。
【００３２】
上で行った説明から、当業者により、１つまたは複数のゴングのためのノイズ・消音構成が設けられたゴング打ち装置の複数の変形形態が、特許請求の範囲によって定義される本発明の範囲から逸脱することなく考案され得る。ゴング（複数可）を拘束して隣接する金属要素から切り離すために、ゴング（複数可）に沿わせて複数のクランプを配置することもできる。１つまたは複数のゴングは腕時計ムーブメントの周りに複数の重ねられた巻き部分を有していてもよく、それぞれが異なるゴング・キャリアに固定されていてもよい。消音部品および対応の消音用対向部品は、アイドル・モードおよびゴング打ちモードおける変換運動において、駆動手段によって動かされ得る。
【符号の説明】
【００３３】
１  ゴング打ち装置；  ２  ゴング・キャリア；  ３、４、５  ゴング；  
６  消音部品；  ７  消音用対向部品；  ８  第１のカム；  ９  第２のカム；  
１０、１１、１２、２６  枢動部品；  １３、１４、１５  ハンマー；  
１６  Ｕ字状部；  １７  ロッド；  １８  ボルト；  １９  フィンガ；  
２４  消音要素；  ２５  歯付きセクタ；  ２６  歯車；  ２７  止め具。
【図１】
2011099860.tif 000003
【図２】
2011099860.tif 000004
【図３】
2011099860.tif 000005
【図４】
2011099860.tif 000006